【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1の送信ブロックに関連する第1のプリコーダを選択するステップであって、前記第1の送信ブロックは、第1のリソースブロック、バンドルされたリソースブロックの第1のセット、またはリソースブロック内の連続リソース要素のグループとして選択された第1のサブリソースブロックのうちの1つを含む、ステップと、
前記第1の送信ブロック内でユーザ機器(UE)固有基準信号(UE-RS)およびデータを送信するステップであって、前記UE-RSおよびデータは、前記第1のプリコーダを使用してプリコーディングされる、ステップと、
次の送信ブロックに関連する次のプリコーダを選択するステップであって、前記次の送信ブロックは、次のリソースブロック、バンドルされたリソースブロックの次のセット、または前記リソースブロック内の連続リソース要素の次のグループとして選択された次のサブリソースブロックのうちの1つを含む、ステップと、
前記次の送信ブロック中で前記UE-RSおよびデータを送信するステップであって、前記UE-RSおよびデータは、次のプリコーダを用いてプリコーディングされる、ステップと
を含む方法。
【請求項２】
前記第1のプリコーダおよび前記次のプリコーダは、ワイドバンドプリコーディング行列とサブバンドプリコーディング行列との積に基づき、前記サブバンドプリコーディング行列は、所定のプリコーディング行列のセットから巡回的に選択される、請求項1に記載の方法。
【請求項３】
前記ワイドバンドプリコーディング行列は、
UEから受信される、または
所定のワイドバンドプリコーディング行列のセットからランダムに選択される
のうちの1つである、請求項2に記載の方法。
【請求項４】
前記UE-RSおよびデータを前記送信するステップは、ランク>1におけるものであり、空間多重化で構成され、前記データは、前記第1のプリコーダおよび前記次のプリコーダとともにレイヤ順序行列を用いてさらにプリコーディングされ、前記レイヤ順序行列は、所定の数の連続サブキャリア内で異なるレイヤに、得られた各送信ビームを巡回的に割り当てる、請求項1に記載の方法。
【請求項５】
前記UE-RSおよびデータを前記送信するステップは、ランク1におけるものであり、送信ダイバーシティで構成され、前記データは、空間周波数ブロックコーディング行列を用いてさらにプリコーディングされる、請求項1に記載の方法。
【請求項６】
前記第1の送信ブロックが前記バンドルされたリソースブロックの第1のセットであると判断するステップと、
前記バンドルされたリソースブロックの第1のセットの2つの連続リソースブロックにおける前記データのための偶数個のリソース要素の存在を決定するステップと、
前記バンドルされたリソースブロックの第1のセットの2つの連続リソースブロックにわたって前記空間周波数ブロックコーディング行列を用いてプリコーディングされた前記データをマッピングするステップと
をさらに含む、請求項5に記載の方法。
【請求項７】
送信方式の指示を送信するステップであって、前記送信方式の指示は、少なくとも1つもしくは複数のUE-RSポート、有用なレイヤの数、送信ダイバーシティのモード、またはデータ送信のための空間多重化に関連付けられる、ステップ
をさらに含む、請求項1に記載の方法。
【請求項８】
少なくともスケジュールされたリソースブロックの総数に基づいて、前記第1の送信ブロックおよび前記次の送信ブロックを決定するステップであって、サブリソースブロックが小型リソース割振りのためにのみ選択される、ステップ
をさらに含む、請求項1に記載の方法。
【請求項９】
ワイヤレス通信の方法であって、
基地局から受信された基準信号を測定するステップと、
構成されたアンテナアレイに関連するワイドバンドおよびサブバンドプリコーダのセットを決定するステップと、
プリコーディング行列インジケータ(PMI)を送信するステップであって、前記PMIは、所定のワイドバンドプリコーダのセットから選択されたワイドバンドプリコーディング行列に関連付けられる、ステップと、
前記測定された基準信号に基づいて生成されたチャネル品質インジケータ(CQI)を送信するステップであって、前記チャネル品質インジケータは、プリコーダ要素が所定のサブバンドプリコーダのセットから巡回されるという仮定に従って生成される、ステップと
を含む方法。
【請求項１０】
前記CQIは、ランクインジケータが1より大きいときに単一のCQIを含む、請求項9に記載の方法。
【請求項１１】
前記PMIは、ランクインジケータが4より大きいときに報告されず、前記CQIは、プリコーダ要素が所定のワイドバンドプリコーダのセットから巡回されるという仮定に従って生成される、請求項9に記載の方法。
【請求項１２】
ランクインジケータを送信するステップをさらに含み、前記ランクインジケータは、
送信ダイバーシティのモードもしくはデータ送信のための空間多重化、または
送信チャネルにおける有用なレイヤの数
のうちの1つに対応する、請求項9に記載の方法。
【請求項１３】
ワイヤレス通信のために構成された装置であって、
第1の送信ブロックに関連する第1のプリコーダをランダムに選択するための手段であって、前記第1の送信ブロックは、第1のリソースブロック、バンドルされたリソースブロックの第1のセット、またはリソースブロック内の連続リソース要素のグループとして選択された第1のサブリソースブロックのうちの1つを含む、手段と、
前記第1の送信ブロック内でユーザ機器(UE)固有基準信号(UE-RS)およびデータを送信するための手段であって、前記UE-RSおよびデータは、前記第1のプリコーダを使用してプリコーディングされる、手段と、
次の送信ブロックに関連する次のプリコーダを選択するための手段であって、前記次の送信ブロックは、次のリソースブロック、バンドルされたリソースブロックの次のセット、または前記リソースブロック内の連続リソース要素の次のグループとして選択された次のサブリソースブロックのうちの1つを含む、手段と、
前記次の送信ブロック中で前記UE-RSおよびデータを送信するための手段であって、前記UE-RSおよびデータは、次のプリコーダを用いてプリコーディングされる、手段と
を含む装置。
【請求項１４】
ワイヤレス通信のために構成された装置であって、
基地局から受信された基準信号を測定するための手段と、
構成されたアンテナアレイに関連するワイドバンドおよびサブバンドプリコーダのセットを決定するための手段と、
ランクインジケータを送信するための手段であって、前記ランクインジケータは、送信チャネルにおける有用なレイヤの数に対応する、手段と、
プリコーディング行列インジケータ(PMI)を送信するための手段であって、前記PMIは、所定のワイドバンドプリコーダのセットから選択されたワイドバンドプリコーディング行列に関連付けられる、手段と、
前記測定された基準信号に基づいて生成されたチャネル品質インジケータ(CQI)を送信するための手段であって、前記チャネル品質インジケータは、プリコーダ要素が所定のサブバンドプリコーダのセットから巡回されるという仮定に従って生成される、手段と
を含む装置。
【請求項１５】
プログラムコードを記録しているコンピュータ可読記憶媒体であって、前記プログラムコードは、1つまたは複数のコンピュータまたはプロセッサによって前記プログラムコードが実行されると、請求項1から12のいずれか一項に記載の方法を実行させるコードを含む、コンピュータ可読記憶媒体。